(57)【要約】【課題】  遊技領域に設けられた装飾部材の全体を一様に明るく照明することの出来る、新規な構造の遊技機を提供すること。【解決手段】  透光性材料で形成された反射部材１２０の半球状凹所１３０に半透明の球状体６６の一部を入り込ませて該球状体６６の外面を該反射部材１２０で所定距離を隔てて覆うように配設する一方、該反射部材１２０に貫通孔１２２を設けると共に、該貫通孔１２２を挟んで該球状体６６と反対側の該反射部材１２０から離隔して、該発光源１２６で発せられた光が該貫通孔１２２を通じて該球状体６６に直接に照射されると共に該反射部材１２０の背面に照射される位置に発光源１２６を配設した。【選択図】  図８
2006263283.tif 000002
【特許請求の範囲】
【請求項１】
発光源によって照明される装飾部材を遊技領域に設けた遊技機において、
前記装飾部材として半透明の球状体を設けると共に、透光性材料で形成された半球殻形状の反射部材を採用し、該反射部材の半球状凹所に該球状体の一部を入り込ませて該球状体の外面を該反射部材で所定距離を隔てて覆うように配設する一方、該反射部材に貫通孔を設けると共に、該貫通孔を挟んで該球状体と反対側の該反射部材から離隔して、該発光源で発せられた光が該貫通孔を通じて該球状体に直接に照射されると共に該反射部材の背面に照射される位置に該発光源を配設したことを特徴とする遊技機。
【請求項２】
前記球状体が中空構造とされると共に、該球状体の内周面が凹凸状とされている請求項１に記載の遊技機。
【請求項３】
前記球状体の外周面の曲率中心と、前記反射部材の内周面の曲率中心が略同じ位置とされている請求項１又は２に記載の遊技機。
【発明の詳細な説明】
【技術分野】
【０００１】
本発明は、遊技領域に装飾部材を備えた遊技機に係り、特に、装飾部材が発光源によって照明される遊技機に関するものである。
【背景技術】
【０００２】
従来から、パチンコ機等の遊技機においては、遊技者の興味をひくと共に遊技の楽しみを増すために遊技領域に各種の装飾が施されている。その一つとして、照明効果を利用したものがある。例えば、遊技領域に人形等の装飾部材を設けることに加えて、当該装飾部材を照明するＬＥＤ等の発光源を設けて装飾部材の装飾効果を高めたものがある。このように装飾部材に照明効果を加えることにより、単調な装飾部材を視覚的に変化させることが出来るのであり、例えば遊技状況に合わせて発光源を点灯や点滅させて装飾部材の照明効果を変化させることによって、遊技を盛り上げ、遊技者を楽しませることが出来る。
【０００３】
ところで、装飾部材の全体を一様に明るく照明するには、装飾部材に対して特定の方向から光を照射するだけでは困難な場合が多い。特に小さな光源や、集光レンンズ等を備えた光源を利用する場合には、装飾部材の照明にムラができる場合がある。このような照明ムラ等は、装飾部材への照明効果を半減させ、見た目にも華やかさに欠け、高級感が損なわれる。
【０００４】
このような問題に対処するために、例えば特許文献１（特開２００１−３５３２７５号公報）には、遊技領域に配設される装飾部材としての風車そのものを透光性の材料で形成したものが提案されている。風車を導光部材として構成し、風車の回転軸の後方に配した発光源からの光を風車の軸方向後方端面から入射させることにより、風車自体を発光させるようになっている。
【０００５】
しかしながら、かかる特許文献１に示された照明技術は、風車のように軸方向先端面を発光させるには有効かもしれないが、装飾部材を広い範囲で照明するのに必ずしも有効ではない。即ち、回転軸を備えた風車では、回転軸の後方端面から光を入射させることにより、風車において遊技者に対向位置する回転軸の前方端面を発光させることは容易であるかも知れないが、側面等の全体を略均一に発光させることは容易でない。それ故、特に比較的大型の装飾部材を、広い領域で略均一に照明させて略一様に発光しているように見せることが難しい。
【０００６】
一方、特許文献２（特開平１１−２３５４１５号公報）には、装飾部材を半透明の部材で構成することが開示されている。このようにすれば、装飾部材に暈しの効果を与えることによって、発光源による局部的な照明に伴う明暗のムラを抑えることが出来る。
【０００７】
ところが、かかる特許文献２に記載の構造では、装飾部材を半透明の部材で構成したことにより照射光の透過率が下がってしまい、光源側への無駄な反射光も多くなってしまう。そのために、装飾部材の照明を十分な明るさで行うことが難しくなる。また、中実の装飾部材自体を導光部材として構成している点では、前述の特許文献１と同様であり、そのために、特に比較的大型の装飾部材では、半透明としたことで明るさが大幅に低下してしまうことが避けられないのである。
【０００８】
【特許文献１】特開２００１−３５３２７５号公報
【特許文献２】特開平１１−２３５４１５号公報
【発明の開示】
【発明が解決しようとする課題】
【０００９】
ここにおいて、本発明は上述の如き事情を背景として為されたものであって、その解決課題とするところは、遊技領域に設けられた装飾部材の全体を一様に明るく、且つ効率的に照明することの出来る、新規な構造の遊技機を提供することにある。
【課題を解決するための手段】
【００１０】
以下、前述の如き課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面の記載、或いはそれらの記載から当業者が把握することの出来る発明思想に基づいて認識されるものであることが理解されるべきである。
【００１１】
（本発明の態様１）
すなわち、本発明の態様１は、発光源によって照明される装飾部材を遊技領域に設けた遊技機において、前記装飾部材として半透明の球状体を設けると共に、透光性材料で形成された半球殻形状の反射部材を採用し、該反射部材の半球状凹所に該球状体の一部を入り込ませて該球状体の外面を該反射部材で所定距離を隔てて覆うように配設する一方、該反射部材の略中央に貫通孔を設けると共に、該貫通孔を挟んで該球状体と反対側の該反射部材から離隔して、該発光源で発せられた光が該貫通孔を通じて該球状体に直接に照射されると共に該反射部材の背面に照射される位置に該発光源を配設したことを、特徴とする。
【００１２】
本態様に従う構造とされた遊技機においては、装飾部材の全体を一様に明るく照明することが出来る。即ち、装飾部材として半透明の球状体を採用したことによって、球状体の内部に透過した光は、球状体の内周面で反射される。ここにおいて、装飾部材が球形状とされていることから、かかる反射光の進行方向に位置する内周面によって、反射光が更に異なる方向に反射されることとなる。このように、球状体内部で様々な方向への反射が繰り返されると共に、反射面での拡散も生じることによって、球状体の全体を一様に明るくすることが出来る。また、球状体を覆う反射部材を設けたことによって、球状体の外周面で反射された光を反射部材で更に反射して、球状体を照明することが出来る。更に、反射部材に貫通孔を設けて、発光源からの光を貫通孔を通じて球状体に直接に照射することによって、発光源からの光を減衰せしめることなく、球状体に有効に照射することが出来る。加えて、発光源を反射部材から離隔した位置に配設すると共に、反射部材を透光性材料で形成したことによって、発光源の光が反射部材で全反射されることを回避して、発光源から広がった光によって、球状体の広い範囲を照射することが出来る。そして、これら複数の効果が相乗的に発揮されることによって、装飾部材の全体を一様に明るく照明することが可能となるのである。
【００１３】
さらに、本態様によれば、発光源からの光を有効に利用し、装飾部材に対して効果的な照明を行なうことが可能となることから、発光源の消費電力を小さく抑えることが可能となり、優れた効率をもって効果的な照明を行なうことが可能となる。
【００１４】
なお、本発明における半透明や透光性とは、可視光線を対象とした光学特性をいうものである。また、球状体を形成する半透明の部材や反射部材を形成する透光性材料としては、従来公知のものが適宜に採用可能であり、例えば、ポリカーボネート、ＡＢＳ樹脂、アクリル等が採用され得る。なお、装飾部材は、例えば着色等を施されることにより、その一部において透光性の高い部分や殆ど透光性のない部分が存在していても良く、各種の意匠態様が採用され得る。
【００１５】
（本発明の態様２）
本発明の態様２は、前記態様１に係る遊技機において、前記球状体が中空構造とされると共に、該球状体の内周面が凹凸状とされていることを、特徴とする。本態様に従う構造とされた遊技機においては、球状体を透過した光を球状体の内周面の凹凸で拡散せしめることによって、球状体の全体を効果的に一様に明るくすることが出来る。なお、球状体内周面の凹凸形状としては、光の拡散を有効に生ぜしめるために、所謂擦りガラスのような極小さな凹凸形状が好適に採用される。
【００１６】
特に本態様においては、比較的大きな球状の装飾部材を照明するために、装飾部材自体を中空構造とした。これにより、半透明の部材厚さを薄肉として透過光の減衰を抑えた。加えて、中空内部に入射された光を内部で減衰することなく拡散して、その後に薄肉の半透明部分を透過させて外部に出光させるようした。その結果、装飾部材自体の内部での拡散，発光の均一化を、極めて簡単な構造により、光の減衰を可及的に回避しつつ、実現せしめ得たのである。
【００１７】
（本発明の態様３）
本発明の態様３は、前記態様１又は２に係る遊技機において、前記球状体の外周面の曲率中心と、前記反射部材の内周面の曲率中心が略同じ位置とされていることを、特徴とする。本態様に従う構造とされた遊技機においては、反射部材の内周面で反射された光が集められる部位に装飾部材を配設することによって、装飾部材に照射される光束をより多くして、装飾部材をより明るく照明することが出来る。
【００１８】
さらに、本態様においては、球状体の曲率中心と、反射部材に形成される貫通孔の中心、および発光源が略同一直線上に配設されることがより望ましい。このような態様によれば、貫通孔を通過して球状体に直接に照射される強い光を球状体の中心部に照射することが出来て、球状体に照射される光の偏りを軽減して、装飾部材をより一様に照明することが出来る。
【発明の効果】
【００１９】
上述の説明から明らかなように、本発明に従う構造とされた遊技機においては、優れた効率をもって、装飾部材の全体を一様に明るく照明することが出来る。
【発明を実施するための最良の形態】
【００２０】
以下、本発明を更に具体的に明らかにするために、本発明の実施形態について、図面を参照しつつ、詳細に説明する。なお、以下の説明において、上下方向および左右方向とは、原則として、遊技者から見た上下方向および左右方向をいうものとし、表面および裏面についても、原則として、遊技者から見た表面および裏面をいうものとする。
【００２１】
図１には、本発明の一実施形態として、遊技機としてのパチンコ機１０が示されている。このパチンコ機１０は、縦長な方形状に枠組み形成された外枠１２を備えている。外枠１２には、その一側において開閉自在に軸支された状態で、パチンコ機の主要構成部の略全てが集約して設けられる中枠１４が組み付けられている。また、中枠１４の表側には、中枠１４に対して裏側から取り付けられた遊技盤１６を透視保護するためのガラス板を備えたガラス枠１８と、上皿２０を備えた皿板２２がそれぞれ中枠１４の一側に開閉自在に軸支された状態で組み付けられている。更にまた、上皿２０の下方には、下皿２４が設けられており、かかる下皿２４の右方には、発射ハンドル２６が突設されている。そして、遊技者が発射ハンドル２６に対して回動可能に装着された発射レバー２８を回動操作することにより、上皿２０に貯留された遊技球が球送り機構（図示せず）を介して発射装置（図示せず）に送られた後、遊技盤１６に形成された遊技領域３０に向けて発射されるようになっている。
【００２２】
遊技盤１６は、図２に示すように、表面に合成樹脂製のシートが被着された遊技板３２を備えており、かかる遊技板３２の表面側に固定されたガイドレール３４によって囲まれた略円形の遊技領域３０には、その略中央部分において、遊技板３２の裏面から組付けられた変動図柄表示装置としての液晶表示器３６が配設されている。そして、かかる液晶表示器３６の下方において、始動入賞装置３８や特別可変入賞装置４０等の各種構造物が固定的に設けられている。なお、特に本実施形態においては、変動図柄表示装置として液晶表示器を用いているが、その他ＣＲＴやＬＥＤを用いた表示器や、ドラムユニットなどを用いることも可能である。
【００２３】
このような遊技領域３０に向けて発射された遊技球は、遊技領域３０を流下せしめられることとなる。そして、遊技球が始動入賞装置３８に入賞すると、液晶表示器３６において複数の変動図柄（図示せず）の変動表示が開始され、それら複数の変動図柄の変動表示が所定時間行われる。その後、複数の変動図柄が特定の停止表示態様で停止表示された場合には、所謂大当たり遊技状態が発生し、通常の遊技状態では特別可変入賞装置４０の入口を塞いでいる扉４２が予め定められた作動条件に従って開閉作動せしめられるようになっている。これにより、特別可変入賞装置４０の入口が開放されて、特別可変入賞装置４０への遊技球の入賞が可能となり、その結果、遊技者は通常の遊技状態では得ることができない利益（賞球）を得ることが可能となる。このことから明らかなように、本実施形態では、パチンコ機１０は、所謂第１種パチンコ機とされている。
【００２４】
また、液晶表示器３６の周囲には、表示領域３６の周囲を装飾するためのセンター役物としてのセンター飾り４４が配設されている。センター飾り４４は、図３にも示すように、略枠体形状を有する装飾枠としての本体枠４５と、貫通孔４６を有する取付板部材５０が組付けられて構成されている。そして、遊技板３２を挟んで、前方から本体枠４５が組み付けられると共に、後方から取付板部材５０が組み付けられることによって、センター飾り４４が遊技板３２に組み付けられるようになっている。そこにおいて、本実施形態においては、貫通孔４６における開口端の断面の大きさおよび形状が液晶表示器３６の表示画面の大きさおよび形状と対応しており、それによって、遊技盤１６（遊技板３２）の裏側に配設された液晶表示器３６の表示画面が貫通孔４６および本体枠４５を通じて視認可能とされている。
【００２５】
さらに、本体枠４５の貫通孔４６よりも上方に位置せしめられる部分には、本体枠４５から前方に突出せしめられた庇５２が形成されており、かかる庇５２は、貫通孔４６の上方から左右両側にまで延び出している。そこにおいて、庇５２内および本体枠４５内には、ワープ通路５４が形成されており、庇５２における貫通孔４６の上方に位置せしめられる部分の外側に形成されたワープ入口５６から入った遊技球は、ワープ通路５４を通って、本体枠４５の下側に形成されたワープ出口５８から、本体枠４５における開口端の下端内周部分に形成されたステージ６０に案内されて、ステージ６０上を転動するようになっている。
【００２６】
そして、ステージ６０上を転動する遊技球は、ステージ６０上に形成された傾斜面６２，６２を通って、或いは、ステージ６０の中央部分に形成された誘導路入口（図示せず）から入って、誘導路６４を通り、再び、遊技領域３０上を流下せしめられるようになっている。
【００２７】
ここにおいて、特に本実施形態では、誘導路６４の出口（本体枠４５の前面側に形成された開口）の真下に始動入賞装置３８が配設されており、それによって、誘導路６４を通って再び遊技領域３０上を流下せしめられる遊技球は、始動入賞口３８に入賞し易くされている。
【００２８】
このような構造とされたセンター役物４４の右側には、装飾部材としての回転体６６が配設されている。図４に示すように、回転体６６は、本実施形態においては、ポリカーボネートから形成された中空で無色透明の半球殻形状とされた一対の半球殻部材６８ａ，６８ｂが接着等で互いに固着されることによって構成されており、それら半球殻部材６８ａ，６８ｂの内周面が研磨されて微小な凹凸が形成されることによって、無色半透明の球状体とされている。また、本実施形態においては、回転体６６は地球儀とされており、陸地にあたる部位には蛍光塗料による塗装が施されている一方、海にあたる部位が塗装が施されていない無色半透明とされている。なお、図４は、本体枠４５と、後述するキャラクタ人形７８を取付板部材５０から取り外した状態を示す。
【００２９】
このような回転体６６は、電動モータ７０を含む駆動機構７２を介して、中心軸回りで回転駆動可能な状態で取付板部材５０に支持されている。ここにおいて、取付板部材５０における回転体６６の右側外周部分は、側面視において回転体６６の中心部に至る程度まで前方に突出せしめられており、かかる突出部位に回転体６６の曲率半径よりやや大きな曲率半径の内周を有する略半円環板形状の右側外周装飾部材７４が取り付けられている。一方、取付板部材５０における回転体６６の背面に位置する左側外周部分には、右側外周装飾部材７４と略同じ曲率半径の内周を有する略半円環板形状の左側外周装飾部材７６が取り付けられている。更に、取付板部材５０における回転体６６の上方には、キャラクタ人形７８が取り付けられている。
【００３０】
次に、図５及び図６に、回転体６６及び駆動機構７２を示す。駆動機構７２は、回転体６６を支持する支持軸８０と、支持軸８０を載置して、取付板部材５０に固定される台座８２と、台座８２に固定される電動モータ７０を含んで構成されている。
【００３１】
支持軸８０は、回転体６６の中心軸上を上下方向に延びる略四角柱形状とされており、回転体６６の中心軸上を上方向に延びる上側軸８６が回転体６６の上面に接着等で固定される一方、回転体６６の中心軸上を下方向に延びる下側軸８８が回転体６６における上側軸８６と反対側の下面に接着等で固定されることによって構成されている。また、上側軸８６の上端面には、上方に突出して回転体６６の中心軸上を延びる円柱形状の挿し込み軸９０が形成されており、かかる挿し込み軸９０が、取付板部材５０に形成された軸受（図示せず）に挿し込まれるようになっている。一方、下側軸８８の軸方向略中央部には伝達歯車９２が一体的に形成されていると共に、伝達歯車９２から下方の部位には例えばポリエチレンやポリテトラフルオロエチレン等の低摩擦性材料によって形成された円柱状のカバー部材９４が外挿されている。なお、上側軸８６および下側軸８８は、取付板部材５０への組付け状態において、右側外周装飾部材７４が覆い被されることによって、遊技者から殆ど視認不可能とされている。
【００３２】
このような支持軸８０は、図６に示すように、台座８２に形成された前方に突出する突出部９６に非固定状態で載置されている。台座８２は略Ｌ字板形状の部材とされており、前後方向に広がる平板部９８と、平板部９８の後側端部において下方に突出する突出板部１００が一体的に形成されている。そして、平板部９８における左側部分が前方に突出せしめられた突出部９６とされている。なお、突出部９６の前方への突出寸法および幅寸法は、下側軸８８に外挿されたカバー部材９４の径寸法よりもやや大きくされている。また、突出部９６を含む平板部９８の前方および側方端縁部には上方に突出する壁部１０２が形成されている。また、突出板部１００には、背面に向かって突出する一対の取付ボス１０４，１０４が形成されている。
【００３３】
一方、台座８２には、平板部９８を厚さ方向に貫通して一定の幅寸法で前後方向に延びるスリット１０６が形成されている。なお、スリット１０６は、平板部９８を厚さ方向に貫通しており、突出板部１００を厚さ方向に貫通することなく形成されている。
【００３４】
そして、台座８２の下面には、スリット１０６に出力軸を挿し込むようにして電動モータ７０が組み付けられている。電動モータ７０は従来公知のＤＣモータやステッピングモータ等各種のモータが採用可能であって、本実施形態ではＤＣモータが採用されている。また、電動モータ７０は本実施形態においては一定の速度で一方向のみに回転可能とされているが、遊技状況にあわせて回転方向や回転速度を変化せしめる等しても良い。なお、電動モータ７０への電源の供給は、図４に示すように、取付板部５０における電動モータ７０の背後に位置する部位に貫設されたコード挿通孔１０８を通じて図示しない電源コードが取付板部材５０の裏側から電動モータ７０に接続されることによって、電源が供給されるようになっている。
【００３５】
そして、台座８２のスリット１０６に挿し込まれた電動モータ７０の出力軸に対して、スリット１０６の上方から、出力歯車１１０が取り付けられている。出力歯車１１０は、スリット１０６の幅寸法よりもやや小さな径寸法を有する軸部１１２の上端部に、スリット１０６よりも大きな径寸法をもって軸直角方向に広がる円板状部１１４が一体的に形成されており、かかる円板状部１１４の上側に、歯車部１１６が一体的に形成されている。
【００３６】
そして、出力歯車１１０の歯車部１１６と、回転体６６に固定された支持軸８０の伝達歯車９２が噛合せしめられることによって、電動モータ７０の駆動力が回転体６６に伝達されて、回転体６６が回転駆動せしめられるようになっている。
【００３７】
このような構造とされた回転体６６と駆動機構７２は、台座８２における突出板部１００に形成された取付ボス１０４，１０４が、取付板部材５０に形成された一対の取付部１１８、１１８（図７参照）に差し込まれて裏面からビス止めされることにより、取付板部材５０に組み付けられるようになっている。ここにおいて、取付部１１８，１１８は、水平方向から所定角度傾斜した直線上に形成されており、これによって、回転体６６および駆動機構７２は所定角度傾斜した状態で取付板部材５０に組み付けられて、回転体６６の回転軸が所定角度傾斜した状態で配設されるようになっている。
【００３８】
また、図７に示すように、取付板部材５０における回転体６６の裏側にあたる部位には、回転体６６の外周寸法より一回り大きな内周寸法を有する反射部材としてのリフレクタ１２０が一体的に形成されている。即ち、本態様では、遊技領域の装飾板面を構成する取付板部材５０を利用して、リフレクタ１２０が一体形成されており、これによって、リフレクタ１２０がたとえ遊技者に見えたとしても異物感なく看取されるようになっている。
【００３９】
リフレクタ１２０は、半球状凹所としての内周面１３０（図８参照）を備えた半球殻形状とされており、装飾部材である回転体６６の外周面の１／４〜１／２程度を覆うようになっており、本実施形態では回転体６６の略１／３程度を覆っている。リフレクタ１２０は、その半球殻形状とされた全体が略一定の厚さ寸法とされており、内周面１３０と外周面１３２が、略同じ曲率中心と略同じ曲率半径で形成されている。
【００４０】
また、リフレクタ１２０は、例えばポリカーボネート等の透光性材料、好適には透光性の合成樹脂材料によって形成されている。特に本実施形態においては、取付板部材５０と共に、全体が赤色の有色透明とされている。なお、リフレクタ１２０の内周面１３０は平滑面とされていることが望ましい。内周面１３０が平滑面とされることにより、乱反射（拡散反射）等による照明効率の低下を抑えることが出来る。
【００４１】
さらに、リフレクタ１２０の中央部分には、略円形の貫通孔１２２が貫設されている。貫通孔１２２の径寸法は、回転体６６の径寸法の略１／４〜３／４程度とされることが望ましく、本実施形態においては、回転体６６の径寸法の略２／３程度の径寸法とされている。なお、貫通孔１２２の開口が多角形等になると、回転体６６への投光ムラが発生するおそれがある。また、貫通孔１２２の口径が小さ過ぎると照明効率の低下が問題となるおそれがあり、反対に、貫通孔１２２の口径が大き過ぎるとリフレクタ１２０による反射や導光の効果が十分に発揮され難くなって照明ムラが発生するおそれがある。
【００４２】
また、リフレクタ１２０の裏面には、後方に突出する一対のＬＥＤ基板取付部１２４、１２４が適宜の位置に形成されていると共に、後方に突出する板状の補強リブ１２５がＬＥＤ基板取付部１２４と一体的に形成されている。そして、かかるＬＥＤ基板取付部１２４、１２４に対して、発光源としてのＬＥＤ１２６を備えたＬＥＤ基板１２８（図８参照）が取り付けられるようになっていると共に、ＬＥＤ１２６がパチンコ機１０の裏面に取り付けられた図示しない音・ランプ制御基板等に接続されることによって、点灯乃至は点滅が可能とされている。なお、補強リブ１２５の後方への突出量は、ＬＥＤ基板取付部１２４の突出量よりやや小さくされており、ＬＥＤ基板１２８との間に所定の空隙が形成されている。
【００４３】
ここにおいて、図８から明らかなように、回転体６６はリフレクタ１２０から所定距離を隔てた前方に配設されており、回転体６６の外周面とリフレクタ１２０の内周面との間には、対向面間の全体に亘って略一定の隙間が形成されている。また、回転体６６の曲率中心：Ｐと、リフレクタ１２０の曲率中心：Ｑ１が略同じ位置となるように配設されている。更に、ＬＥＤ１２６は、リフレクタ１２０の外周面１３２から後方に離隔した位置に配設されていると共に、回転体６６の曲率中心：Ｐと貫通孔１２２の中心：Ｑ２、およびＬＥＤ１２６が略同一直線上に並んで配設されている。これにより、ＬＥＤ１２６から発せられた光は、貫通孔１２２を通して直接に回転体６６に照射される他、リフレクタ１２０の外周面に照射されて、リフレクタ１２０による適当な屈折等が加えられることにより、リフレクタ１２０を透過して回転体６６に照射されるようになっている。
【００４４】
このような構造とされた遊技機においては、回転体６６の全体を一様に明るく照明することが出来る。即ち、ＬＥＤ１２６から発せられて、リフレクタ１２０の貫通孔１２２を通過する光は、リフレクタ１２０に減衰されることなく回転体６６に直接に照射される。そして、回転体６６に照射された光は、その一部は回転体６６の内部に透過すると共に、一部は回転体６６で反射される。ここにおいて、回転体６６の内部に透過した光は、回転体６６の内周面が凹凸形状とされていることから、回転体６６の内部で様々な方向に拡散され、更に回転体６６の中空内部で拡散反射を繰り返すこととなる。これにより、回転体６６の全体を一様に明るくすることが出来る。また、回転体６６で反射された光線や回転体６６から外部に放出された光線のうち、遊技者から見て回転体６６の照明に寄与しない分、即ち回転体６６の背面側に反射や放出で発せられる光線は、リフレクタ１２０の内周面１３０に入射される。そして、リフレクタ１２０によって更に反射されて、再び回転体６６に照射されることから、回転体６６に照射される光束を効率的に利用して、遊技者から視認される回転体６６の前方面への光の放出を多くして、回転体６６をより明るく照らすことが可能となるのである。
【００４５】
さらに、本実施形態においては、リフレクタ１２０が透光性材料で構成されていることから、ＬＥＤ１２６から発せられて、リフレクタ１２０の外周面１３２に照射された光は、リフレクタ１２０を透過する。これにより、リフレクタ１２０の内周面１３０に照射された光のみならず、リフレクタ１２０の外周面１３２に照射された光も有効に利用することが出来て、回転体６６をより明るく照らすことが可能となるのである。
【００４６】
以上、本発明の一実施形態について詳述してきたが、これはあくまでも例示であって、本発明は、かかる実施形態における具体的な記載によって、何等、限定的に解釈されるものではない。
【００４７】
例えば、前述の実施形態における回転体６６は中空構造とされていたが、中実構造であっても良い。また、回転体６６を半透明とするために、前述の実施形態においては回転体６６の内表面を研磨していたが、このような方法に限定されるものではなく、例えば球状体の成形時に炭カルや硫酸バリウム等の充填材を混入すること等によって半透明の球状体を構成することも可能である。
【００４８】
また、リフレクタ１２０は必ずしも取付板部材５０と一体的に形成される必要は無いのであって、取付板部材５０とは別体として形成することも勿論可能である。更に、リフレクタ１２０に貫設される貫通孔１２２の具体的な形状や大きさ、個数等についても何等限定されない。従って、リフレクタ１２０の中央部以外の部位に更に貫通孔を設ける等しても良い。
【００４９】
更に、回転体６６やリフレクタ１２０の色については何等限定されることは無く、各種の色を適宜に採用することが可能であるし、或いは、無色透明などでも良い。
【００５０】
更にまた、発光源の色についても何等限定されることは無い。例えば、前述の実施形態において、異なる色のＬＥＤ１２６を複数設けて、遊技状況に応じて色を変化せしめる等しても良い。また、指向性を有するＬＥＤを採用したり、ＬＥＤ１２６の後方に反射鏡を設けることによって、ＬＥＤ１２６から発せられる光に指向性を与える等しても良い。このようにすれば、回転体６６へ向かう光束をより多くして、より優れた効率をもって回転体６６を照射することが出来る。
【００５１】
さらに、前述の実施形態においては、装飾部材としての回転体６６はセンター役物４４に設けられていたが、本発明は、遊技領域３０上に設けられる装飾部材に対しても同様に適用可能である。
【００５２】
加えて、前述の実施形態においては、本発明を第１種パチンコ機に適用したものの一具体例を示したが、本発明は、第２種パチンコ機や第３種パチンコ機に対しても、勿論適用することが可能である。
【００５３】
その他、一々列挙はしないが、本発明は、当業者の知識に基づいて、種々なる変更，修正，改良等を加えた態様において実施され得るものであり、また、そのような実施態様が、本発明の趣旨を逸脱しない限り、何れも、本発明の範囲内に含まれるものであることは、言うまでもない。
【図面の簡単な説明】
【００５４】
【図１】本発明の一実施形態としてのパチンコ機を示す正面図である。
【図２】図１に示したパチンコ機に採用される遊技盤の正面図である。
【図３】図２に示した遊技盤に設けられたセンター飾りの正面図である。
【図４】図３に示したセンター飾りに設けられる装飾部材を示す要部拡大図である。
【図５】図４に示した装飾部材および駆動機構を示す正面図である。
【図６】図５に示した装飾部材および駆動機構を示す側面図である。
【図７】図４に示した要部の背面図である。
【図８】図７におけるＶＩＩＩ−ＶＩＩＩ断面を概略的に説明するためのモデル図である。
【符号の説明】
【００５５】
１０  パチンコ機
４４  センター飾り
４５  本体枠
４６  貫通孔
５０  取付板部材
６６  回転体
７０  電動モータ
１２０  リフレクタ
１２２  貫通孔
１２６  ＬＥＤ
１３０  内周面
【図１】
2006263283.tif 000003
【図２】
2006263283.tif 000004
【図３】
2006263283.tif 000005
【図４】
2006263283.tif 000006
【図５】
2006263283.tif 000007
【図６】
2006263283.tif 000008
【図７】
2006263283.tif 000009
【図８】
2006263283.tif 000010